(57)【要約】【課題】複数の照明器具の点灯を制御すると共に、装置、及び施工コストが安価な照明制御システムを提供する。【解決手段】時刻を計時するタイマー部１２と、前記タイマー部と予め設定された複数のタイムスケジュールとから照明器具２の点灯状態を変更する時刻を制御時刻として定めるタイマー制御部１３と、該タイマー制御部１３に設けられ複数のタイムスケジュールを切替える操作部１４と、前記制御時刻に従い前記照明器具２の点灯状態を制御する伝送処理部１５とを有する照明制御器具１と、前記照明制御器具１が個別に配設された照明器具群から構成した。【選択図】図１
2015026500.tif 000002
【特許請求の範囲】
【請求項１】
時刻を計時するタイマー部と、
前記タイマー部と予め設定された複数のタイムスケジュールとから照明器具の点灯状態を変更する時刻を制御時刻として定めるタイマー制御部と、
該タイマー制御部に設けられ複数のタイムスケジュールを切替える操作部と、
前記制御時刻に従い前記照明器具の点灯状態を制御する伝送処理部とを有する照明制御器具と、
前記照明制御器具が個別に配設された照明器具群から構成され、前記タイマー制御部が複数の異なるタイムスケジュールを有し、近接する照明器具が異なるタイムスケジュールに選択され、照明器具群が複数の点灯パターンを有することを特徴とする照明制御システム。
【請求項２】
前記タイムスケジュールが、４８時間周期であることを特徴とする請求項１に記載の照明制御システム。
【請求項３】
前記タイマー部が、外部電池により電力を供給されることを特徴とする請求項１または請求項２のいずれか１項に記載の照明制御システム。
【請求項４】
時刻を計時するタイマー部と、
前記タイマー部と予め設定されたタイムスケジュールとから照明器具の点灯状態を変更する時刻を制御時刻として定めるタイマー制御部と、
該タイマー制御部に設けられ複数のタイムスケジュールを切替える操作部と、
前記タイマー制御部からの点灯指令に基づき前記照明器具の点灯状態を制御する伝送処理部と、
前記伝送処理部から前記照明器具へ送られる点灯もしくは消灯指令に基づき該指令とは異なる指令を異なる照明制御器具へ送信する送信部とを有する第１の照明制御器具と、
前記第１の照明制御器具の送信部から点灯もしくは消灯指令を受信し、受信した指令とは異なる指令を異なる照明制御器具へ送信する送受信部と、
該送受信部から入力された指令に基づき第２の照明器具の点灯状態を制御する伝送処理部とを有する第２の照明制御器具とから構成され、
前記第１の照明制御器具が配設された照明器具を先頭として同系列の照明器具に前記第２の照明制御器具を配設し、
前記第１の照明制御器具のタイムスケジュールに基づき、近接する照明器具が異なるタイムスケジュールに選択され、照明器具群が複数の点灯パターンを有することを特徴とする照明制御システム。
【発明の詳細な説明】
【技術分野】
【０００１】
本発明は、タイムスケジュール機能をもつ照明制御システムに関する。
【背景技術】
【０００２】
従来、予め設定された１日のタイムスケジュールに従って照明器具の点灯状態を自動的に切り替えるタイムスケジュール制御を行う照明制御システムがある。また、このような照明制御システムに各照明器具の照度を調節するシステムを組み合わせることで、省エネルギー化を図っている。
【０００３】
このような照明制御システムでは、初期に所定の節電率に対応した調光パターンを設定しておき、外部から所望の節電率を指令すると、初期調光パターンの設定値を補正しながらこの指令節電率に対応する最適の補正調光パターンを作成し、この作成した補正調光パターンで調光を行う技術が先に開示されている（例えば特許文献１参照）。
【先行技術文献】
【特許文献】
【０００４】
【特許文献１】特許４１１７５１８号公報
【発明の概要】
【発明が解決しようとする課題】
【０００５】
しかしながら、特許文献１のようなシステムでは、複数の照明器具を一括管理するために、調光制御装置、または電源制御装置などの監視制御が必要であり、装置、及び施工コストが嵩むという問題があった。また、古いビルや集合住宅においては、既存の照明器具がシステムに対応しておらず、照明器具や配線の交換が必要であり、さらなる施工コストの増加が見込まれる。そのため、費用を掛けて照明器具を改修することのできない場合は、照明器具の一部を取り外して間引くことにより、省エネルギーを図っているのが現状である。
【０００６】
本発明はこのような問題に鑑みなされたものであり、複数の照明器具の点灯を制御すると共に、装置、及び施工コストが安価な照明制御システムを提供することを目的とする。
【課題を解決するための手段】
【０００７】
このため本発明は、時刻を計時するタイマー部と、前記タイマー部と予め設定された複数のタイムスケジュールとから照明器具の点灯状態を変更する時刻を制御時刻として定めるタイマー制御部と、該タイマー制御部に設けられ複数のタイムスケジュールを切替える操作部と、前記制御時刻に従い前記照明器具の点灯状態を制御する伝送処理部とを有する照明制御器具と、前記照明制御器具が個別に配設された照明器具群から構成され、前記タイマー制御部が複数の異なるタイムスケジュールを有し、近接する照明器具が異なるタイムスケジュールに選択され、照明器具群が複数の点灯パターンを有することを第１の特徴とする。
【０００８】
また、前記タイムスケジュールが、４８時間周期であることを第２の特徴とし、前記タイマー部が、外部電池により電力を供給されることを第３の特徴とする。
【０００９】
さらに、時刻を計時するタイマー部と、前記タイマー部と予め設定されたタイムスケジュールとから照明器具の点灯状態を変更する時刻を制御時刻として定めるタイマー制御部と、該タイマー制御部に設けられ複数のタイムスケジュールを切替える操作部と、前記タイマー制御部からの点灯指令に基づき前記照明器具の点灯状態を制御する伝送処理部と、前記伝送処理部から前記照明器具へ送られる点灯もしくは消灯指令に基づき該指令とは異なる指令を異なる照明制御器具へ送信する送信部とを有する第１の照明制御器具と、前記第１の照明制御器具の送信部から点灯もしくは消灯指令を受信し、受信した指令とは異なる指令を異なる照明制御器具へ送信する送受信部と、該送受信部から入力された指令に基づき第２の照明器具の点灯状態を制御する伝送処理部とを有する第２の照明制御器具とから構成され、前記第１の照明制御器具が配設された照明器具を先頭として同系列の照明器具に前記第２の照明制御器具を配設し、前記第１の照明制御器具のタイムスケジュールに基づき、近接する照明器具が異なるタイムスケジュールに選択され、照明器具群が複数の点灯パターンを有することを第４の特徴とする。
【発明の効果】
【００１０】
以上の構成により本発明は以下の優れた効果を奏する。
（１）照明器具は、照明制御器具のスケジュールデータに基づいて、点灯を制御されるため、照明器具の点灯を制御する監視制御が不必要となる。すなわち、比較的高価な装置類の設置は不要であり、設置コストを低減することができる。
（２）タイマー部に必要な電力は外部電池により供給されるため、停電時などでも時刻が変更されてタイムスケジュールが乱れることがない。また、タイマー部用の電源配線が不必要となり、施工性に優れる。
（３）複数の異なるタイムスケジュールを有し、タイムスケジュールを選択して照明器具の点灯を制御するため、季節や時代に合わせた照明器具群の点灯パターンなど、所望の点灯パターンで照明器具群の点灯を制御することができる。
【図面の簡単な説明】
【００１１】
【図１】本発明の第一の実施形態に係る照明制御器具の一例を示す概略構成図である。
【図２】本発明の第一の実施形態における照明制御システムの動作を説明する図である。
【図３】本発明に第一の実施形態に係るモード別のタイムスケジュールを示す図である。
【図４】本発明の第一の実施形態における照明制御システムの動作を説明する図である。
【図５】本発明の第二の実施形態に係る照明制御器具の他例であり、（ａ）が親機、（ｂ）が子機を示す概略構成図である。
【図６】本発明の第二の実施形態における照明制御システムの動作を説明する図である。
【発明を実施するための形態】
【００１２】
［第一の実施形態］
本発明の第一の実施形態に係る照明制御器具１は、図１に示すように、電源部１１と、タイマー部１２と、ダイマー制御部１３と、操作部１４と、伝送処理部１５とから構成される。以下、各部の構成について詳しく説明する。
【００１３】
電源部１１は商用交流電源９に接続されて、照明制御器具１の各部、及び照明制御器具１を介して照明器具２の夫々へ動作電源を供給する。タイマー部１２は、例えば、現時刻をカウントできる時計（リアルタイムクロックを用いてもよい）であり、アナログ式、デジタル式、もしくは電波式の時計であれば良い。時刻を計時し、時刻情報をタイマー制御部１３へ伝達できる機能を備えていれば、何れでも使用することができる。
【００１４】
タイマー制御部１３は、マイクロコンピュータ（以下マイコンと呼ぶ）及びマイコンを動作させる周辺素子から構成され、電源部１１より供給される電力で動作するものである。マイコンには、複数のタイムスケジュールモードが設定されており、タイマー部１２から受け取る時刻情報とこれらのタイムスケジュールモードにより、照明器具の点灯状態を変更する時刻を制御時刻に定める。タイマー制御部１３で算出された点灯指令は、伝送処理部１５へ伝達される。
【００１５】
操作部１４は、タイマー制御部１３が有する複数のタイムスケジュールモードを切替えるスライドスイッチであり、複数のタイムスケジュールモードを選択可能とせしめる機能を有すれば、何れのスイッチでも良い。例えば、スライドスイッチのほか、トグルスイッチ、レバースイッチ、またはロータリースイッチなどが挙げられ、また例えばプッシュスイッチを設けて、押操作の回数によってタイムスケジュールモードが切替わる機構としても良い。
【００１６】
伝送処理部１５は、タイマー制御部１３から伝送された点灯指令に伴い、照明器具２への伝送処理を行う。伝送処理部１５では、照明器具２へ的確な点灯指示を行う機能を有し、例えば照明器具２に合わせて設定される。また、調光制御機能を付加することで、照明器具２の光出力を制御させることも可能である。
【００１７】
このように構成された照明制御器具１は、図２に示すように、例えば、集合住宅などに設置された複数の照明器具２ａ〜２ｌに個別に取付けられる。照明器具２ａ〜２ｌは、集合住宅の共用廊下の天井に埋め込まれた蛍光灯などの照明器具であり、商用交流電源９から、いわゆる送り配線５にて電力が供給されている。この送り配線５と各照明器具２ａ〜２ｌとの間に介在するように、照明制御器具１ａ〜１ｌが配設される。このように構成された照明制御システムは、各照明器具２ａ〜２ｌが、夫々に配設された照明制御器具１ａ〜１ｌのタイムスケジュールモードにより点灯制御される。
【００１８】
タイムスケジュールモードは、図１に示すように、Ａモード、Ｂモード、連続モードの３種類となっており、各モードの設定スケジュールは、図３に示すように４８時間を１周期として所定の制御時刻により点灯、消灯が設定されている。図２に示すように、隣り合う照明器具に配設される照明制御器具は、互いに異なるタイムスケジュールモードが選択されることによって、照明器具群を所望の点灯パターンで制御することができる。例えば、図２においては、照明制御器具１ａ、１ｃ、１ｅ、１ｇ、１ｉ、１ｋがＡモードに選択され、図３に示すタイムスケジュールに従い、制御時刻が２４時〜３０時の間点灯し、照明制御器具１ｂ、１ｄ、１ｆ、１ｈ、１ｊ、１ｌはＢモードに選択され、図３に示すタイムスケジュールに従い、制御時刻が２４時〜３０時の間消灯している。図４は、制御時刻が０時〜６時の間の点灯パターンを示し、図３に示すタイムスケジュールに従い、照明制御器具１ａ、１ｃ、１ｅ、１ｇ、１ｉ、１ｋが消灯し、照明制御器具１ｂ、１ｄ、１ｆ、１ｈ、１ｊ、１ｌが点灯する。
【００１９】
このように、第一の実施形態においては、照明器具２ａ〜２ｌに個別に取付けられた照明制御器具１ａ〜１ｌによって、照明器具２ａ〜２ｌは、照明制御器具１ａ〜１ｌが有するスケジュールデータに基づいて点灯、及び消灯、かつ近接する照明器具は異なるタイムスケジュールに選択されるため、照明器具群が複数の点灯パターンを有し、照明器具の点灯が不要な時間に消灯することで省エネ効果をもたらすことができる。
【００２０】
［第二の実施形態］
次に、図５、及び図６を参照して、本発明の第二の実施形態について説明する。便宜上、第一の実施形態と同一の箇所には同一の符号を付し、以下では第一の実施形態との相違点を主に説明する。第二の実施形態は、図５（ａ）に示す照明制御器具（親機）６と、図５（ｂ）に示す照明制御器具（子機）７とから構成される。図５（ａ）に示すように、照明制御器具（親機）６は、商用交流電源９に接続され、各部へ電力を供給する電源部１１と、外部電池に接続されたタイマー部１２と、タイマー制御部１３と、操作部１４と、伝送処理部１５と、伝送処理部１５からの指令を照明制御器具（子機）７へ送信する送信部１６とから構成されている。この際に、送信部１６から送信される点灯もしくは消灯指令は、伝送処理部１５からの照明器具２へ送信される指令と異なる指令が送信される。
【００２１】
タイマー部１２は、乾電池などの外部電池により電力を供給されているため、例えば停電時などにおいて、商用交流電源９からの電力供給が停止した際にも、時刻を計時することができ、災害復帰時に正確なタイムスケジュールで点灯を可能としている。さらに、タイマー部１２への電源配線などは不要であり、施工性に優れる。
【００２２】
また、照明制御器具（子機）７は、図５（ｂ）に示すように、電源部１１と、照明制御器具（親機）６の送信部１６からの指令を受け、異なる照明制御器具（子機）７へ照明制御器具（親機）６の送信部１６からの指令をさらに送信する送信部１６と、受信部１７からの指令を受けて照明器具２へ送処理を行う伝送処理部１５とから構成される。これら照明制御器具（親機）６と照明制御器具（子機）７は、図６に示すように、各照明器具２ａ〜２ｌに配設され、照明制御器具（親機）６のタイムスケジュールに連動して、複数の照明制御器具（子機）７が点灯、消灯可能とされている。そのため、図６に示すように、照明制御器具（親機）６ａの伝送処理部１５がタイムスケジュールに従い点灯指令を照明器具２ａ、及び送信部１６へ送り、照明制御器具（親機）６ａの送信部１６から、照明制御器具（子機）７ａの受信部１７へは消灯指令が送られる。消灯指令を受信した照明制御器具（子機）７ａは、消灯指令を照明制御器具（子機）７ａの伝送処理部１５へ送り、照明器具２ｂを消灯せしめると共に、照明制御器具（子機）７ａの送信部１６から点灯指令を照明制御器具（子機）７ｂの受信部１７へ送る。このようにして、図６に示す１階部分の照明器具２ａ〜２ｄは、照明器具２ａを先頭に交互に点灯と消灯を繰り返す点灯パターンを作り出す。また、図６に示す照明制御器具（親機）６ａ、６ｃのタイムスケジュールモードが図３に示すＡモード、照明制御器具（親機）６ｂのタイムスケジュールモードが図３に示すＢモードに設定された場合、１階部分と２階部分では、点灯パターンがずれて点灯され、集合住宅全体で見ると図２に示す点灯パターンとは異なる点灯パターンを作り出すことができる。
【００２３】
尚、本発明は、上記実施形態に限定されるものではなく、本発明の要旨を逸脱しない範囲での種々の変更は勿論可能である。例えば、タイマー部１２とタイマー制御部１３を一体として構成しても良く、また、例えば乾電池を充電式の２次電池としても良い。
【符号の説明】
【００２４】
１      照明制御器具
２      照明器具
５      送り配線
６      照明制御器具（親機）
７      照明制御器具（子機）
１１    電源部
１２    タイマー部
１３    タイマー制御部
１４    操作部
１５    伝送処理部
１６    送信部
１７    送受信部
【図１】
2015026500.tif 000003
【図２】
2015026500.tif 000004
【図３】
2015026500.tif 000005
【図４】
2015026500.tif 000006
【図５】
2015026500.tif 000007
【図６】
2015026500.tif 000008